(57)【要約】【課題】超音波診断を行いながら組織を縫合する縫合器において、送受波面がスライダによって隠蔽されて超音波画像を表示できなくなる問題を解決する。【解決手段】スライダ２４の先端部２４Ｂに開口部５０が形成されている。開口部５０の横幅１０８はアレイ振動子３６の送受波面３６Ａの横幅よりも大きい。また開口部５０の縦幅１０６は送受波面３６Ａの全体をほぼ取り込む程度の長さに設定されている。スライダ２４を前進運動させると、保持部３８によって保持された針４０が保持部４４に入り込み、スライダ２４を手前側に運動させると保持部４４によってつかまれた針４０を手前側に進行させることができる。これによって組織に針を貫通させることができる。スライダ２４に隙間構造が形成されているため、超音波の伝搬領域を十分に確保できる。【選択図】図２
2008043534.tif 000002
【特許請求の範囲】
【請求項１】
縫合糸を伴う縫合針を離脱可能に保持する第１保持部を備えた第１部材と、
前記第１部材に対して相対的にスライド運動する位置関係にあり、前記第１保持部から前記縫合針を受け取る第２保持部を備えた第２部材と、
前記第１部材及び前記第２部材の内の一方の部材に設けられ、前記縫合針の通過経路を含む送受波領域を形成する超音波送受波器と、
を含み、
前記第１部材及び前記第２部材の内の他方の部材には、当該他方の部材が前記超音波送受波器における送受波面の直前に位置した場合に当該送受波面の全面的な隠蔽を回避する隙間構造が設けられた、ことを特徴とする超音波診断用縫合器。
【請求項２】
請求項１記載の縫合器において、
前記隙間構造は前記他方の部材に形成された音響的な開口部を備える、ことを特徴とする超音波診断用縫合器。
【請求項３】
請求項２記載の縫合器において、
前記音響的な開口部は、前記スライド運動の方向と直交する方向において前記送受波面の横幅よりも大きな横幅を有する、ことを特徴とする超音波診断用縫合器。
【請求項４】
請求項３記載の縫合器において、
前記音響的な開口部は、前記スライド運動の方向に伸長した形態を有する、ことを特徴とする超音波診断用縫合器。
【請求項５】
請求項１記載の縫合器において、
前記隙間構造は前記他方の部材に形成された細長部分であり、
前記細長部分は、前記スライド運動の方向と直交する方向において前記送受波面の横幅よりも狭い横幅を有し且つ前記スライド運動の方向に伸長した形態を有する、ことを特徴とする超音波診断用縫合器。
【請求項６】
請求項１記載の縫合器において、
前記第１部材は本体部材であり、前記本体部材の先端部に前記第１保持部が形成され、
前記第２部材は前記本体部材に対して進退運動するスライド部材であり、前記スライド部材の先端部に前記第２保持部が形成された、ことを特徴とする超音波診断用縫合器。
【請求項７】
請求項１記載の縫合器において、
前記第１部材はスライド部材であり、前記スライド部材の先端部に前記第１保持部が形成され、
前記第２部材は本体部材であり、前記本体部材の先端部に前記第２保持部が形成された、ことを特徴とする超音波診断用縫合器。
【発明の詳細な説明】
【技術分野】
【０００１】
本発明は超音波診断用縫合器に関し、特に、超音波の送受波機能を備えた縫合器に関する。
【背景技術】
【０００２】
例えば、心臓の中隔欠損を外科的に治療する場合、患者に対して負担の少ない手術方法を選択することが望まれる。具体的には、心臓を停止させて人工心肺装置を用いて心臓を手術するのではなく、心臓を停止させないで外部から手術器具を心臓内に差し込んで縫合治療を行うことが望まれる。そのような場合、手術中に患部や縫合状態を観察することが不可欠となる。このため特許文献１に記載されたような縫合器が提案されており、その実用化が期待されている。
【０００３】
特許文献１に記載された縫合器は、縫合箇所を超音波画像上でリアルタイムに観察しながら縫合を行えるものである。かかる縫合器において、臓器内に挿入される先端部には凹部が形成されている。その凹部内に組織片が差し込まれた状態で、それを横切って貫通するように縫合針が駆動される。凹部の底面には超音波振動子が設けられ、縫合針が組織片を通過する様子を断層画像上で観察することが可能である。縫合器に設けられた超音波振動子の他、組織全体を画像化するために三次元プローブが別途設けられる場合もある。なお、この種の縫合器が利用されるのは心臓だけに限られない。
【０００４】
【特許文献１】特開２００４−１０５４０６号公報
【発明の開示】
【発明が解決しようとする課題】
【０００５】
上記従来の構成では、穿刺針を保持して運動する部材（特許文献１ではスライダとしての駆動シャフト）が超音波振動子の送受波面の前方に位置した状態では超音波の送受波が当該部材によって大きく妨げられ、その妨げられた範囲の全部にわたって画像を形成できなくなるという問題がある。つまり、画像の欠落、隠蔽という問題が生じ、組織やその周囲を連続して観察できなくなる。
【０００６】
本発明は、縫合器において、超音波送受波器の前側を移動する部材が超音波の送受波をできる限り妨げないようにすることにある。
【課題を解決するための手段】
【０００７】
本発明は、縫合糸を伴う縫合針を離脱可能に保持する第１保持部を備えた第１部材と、前記第１部材に対して相対的にスライド運動する位置関係にあり、前記第１保持部から前記縫合針を受け取る第２保持部を備えた第２部材と、前記第１部材及び前記第２部材の内の一方の部材に設けられ、前記縫合針の通過経路を含む送受波領域を形成する超音波送受波器と、を含み、前記第１部材及び前記第２部材の内の他方の部材には、当該他方の部材が前記超音波送受波器における送受波面の直前に位置した場合に当該送受波面の全面的な隠蔽を回避する隙間構造が設けられた、ことを特徴とする縫合器に関する。
【０００８】
上記構成によれば、縫合針の駆動時に超音波送受波器の送受波面の前方を第２部材が横切ることになるが、その第２部材には隙間構造が形成されているので、当該隙間構造によって音響的な隠蔽を少なくして、超音波画像上で注目部位の表示が途絶えてしまう問題を軽減又は解消できる。よって、縫合時に縫合針が対象組織を通過していく様子を観察しながら縫合作業を行えるので安全性及び操作性を高められる。
【０００９】
ここで、隙間構造は、超音波を通過させる領域を大きくして、送受波面の全面的な隠蔽を回避するものである。組織を縫合針が通過していく過程を超音波画像としてできるだけ明瞭に観察できるように隙間構造を形成するのが望ましい。送受波器としては、縫合針の通過方向に並んだ複数の振動素子によって構成されるアレイ振動子であるのが望ましい。この場合、当該方向に超音波ビームが電子的に走査されて縫合針の通過経路を含む走査面が形成される。
【００１０】
望ましくは、前記隙間構造は前記他方の部材に形成された音響的な開口部を備える。望ましくは、前記音響的な開口部は、前記スライド運動の方向と直交する方向において前記送受波面の横幅よりも大きな横幅を有する。望ましくは、前記音響的な開口部は、前記スライド運動の方向に伸長した形態を有する。望ましくは、前記隙間構造は前記他方の部材に形成された細長部分であり、前記細長部分は、前記スライド運動の方向と直交する方向において前記送受波面の横幅よりも狭い横幅を有し且つ前記スライド運動の方向に伸長した形態を有する。縫合器の先端部を不必要に肥大させない限りにおいて、横幅方向及び縦幅方向に送受波面をできるだけ露出させるように開口部あるいは超音波の通過エリアを構成するのが望ましい。また、送受波面の前方を運動することになる保持部も、できるだけ超音波の伝搬の妨げにならないような形態とするのが望ましい。
【００１１】
望ましくは、前記第１部材は本体部材であり、前記本体部材の先端部に前記第１保持部が形成され、前記第２部材は前記本体部材に対して進退運動するスライド部材であり、前記スライド部材の先端部に前記第２保持部が形成される。この構成によれば、縫合針は最初に本体部材によって保持され、スライド部材のスライド運動により、本体部材からスライド部材へ縫合針が渡される。望ましくは、前記第１部材はスライド部材であり、前記スライド部材の先端部に前記第１保持部が形成され、前記第２部材は本体部材であり、前記本体部材の先端部に前記第２保持部が形成される。この構成によれば、縫合針は最初にスライド部材によって保持され、スライド部材のスライド運動により、スライド部材から本体部材へ縫合針が渡される。
【００１２】
なお、一般には、組織内へ縫合器（の挿入部分）を挿入して縫合処置（縫合針を組織片に貫通させる処置）を行った後に、縫合器が組織内から引き抜かれ、必要に応じて体外において縫合糸の両端を締結する作業が行われる。縫合器の先端部に複数の縫合針を設けるようにしてもよい。縫合の対象となる組織は人体の心臓であるのが特に望ましいが、他の人体組織、あるいは動物組織を対象とするようにしてもよい。
【発明の効果】
【００１３】
以上説明したように、本発明によれば、縫合器において、超音波送受波器の前側を移動する部材が超音波の送受波をあまり妨げないようにできる。
【発明を実施するための最良の形態】
【００１４】
以下、本発明の好適な実施形態を図面に基づいて説明する。
【００１５】
図１には、本発明に係る超音波診断用縫合器の概念図が示されている。縫合器１０は、組織内に挿入される挿入端部１０Ｂと、操作部２６が設けられた操作端部１０Ａと、を有する。図１において、符号１２は臓器の一例としての心臓壁を表しており、心臓内には中隔１８が存在し、そこには欠損孔２０が生じている。以下に説明するように、縫合器１０を用いて欠損孔２０の周囲に存在する組織片に対する縫合を行うことができる。
【００１６】
具体的に説明すると、縫合器１０は、本体２２とスライダ２４とを有している。本体２２とスライダ２４はそれぞれ挿入方向に伸長した棒状の部材であり、本体２２とスライダ２４とが組み合った状態において、それら全体の横断面は略円形あるいは略楕円形である。本体２２の先端側には溝としての凹部３４が形成されており、その凹部３４の下側は底壁２２Ｂである。本体２２における先端壁３７には縫合用の針４０を離脱可能に保持した保持部３８が形成されている。針４０は操作端部１０Ａ側に向いて設けられており、針４０の基端には糸４２の一端が取付けられている。
【００１７】
凹部３４内の底面上には送受波器としてのアレイ振動子３６が配置されている。アレイ振動子３６は上記スライダ２４のスライド方向（つまり挿入方向）に沿って配列された複数の振動素子によって構成される１Ｄアレイ振動子である。アレイ振動子３４によって超音波ビーム１０２が形成され、その電子走査によって走査面１００が形成される。すなわち、走査面１００は複数のビーム位置において超音波ビーム１０２を順次形成することによって形成されるものである。本実施形態においては電子リニア走査が適用されているが、電子セクタ走査等の他の走査方式を用いることもできる。上記とは異なる他の振動子を用いることもできる。
【００１８】
スライダ２４は本実施形態において金属部材によって構成され、例えばステンレスなどによって構成されるものである。その先端部２４Ｂには、保持部３８から受け渡される針４０を保持する保持部４４が形成されている。すなわち、後に詳述するように、スライダ２４を前進させると、保持部４４に形成された溝の内部に針４０の先端部が嵌合し、その後スライダ２４を後退運動させることにより、保持部３８から針４０を離脱させて保持部４４によって操作者から見て手前側に針４０を進行させることができる。その針の通過経路が符号１０４で表されている。通過経路１０４は送受波領域としての走査面１００内に属するものである。
【００１９】
ちなみに、縫合器１０を用いて中隔１８に生じた欠損孔２０に対する縫合を行う場合、心臓１２の一部が切開され、その切開開口内に逆止弁付きチューブ１４が差し込まれ、そのチューブ１４内に縫合器１０における挿入部分が差し込まれる。操作部２６は、２つのレバー２８，３０を有しており、それらは軸３２を中心として相対的に回転運動（交差運動）する。レバー３０の連結部３０Ａは本体２２の基端部２２Ａに連結されており、レバー２８の連結部２８Ａには、長孔３３が形成され、その長孔３３内にはスライダ２４の基端部２４Ａに立設されたピン３４がスライド可能に係合している。レバー２８及びレバー３０を相対的に近接運動させると、それらの連結部３０Ａ，２８Ａが近接運動する結果、スライダ２４が本体２２に対して前進運動する。レバー２８とレバー３０との間には両者を離すための付勢力を発生するバネ（図示せず）が設けられており、そのバネの作用によって自然状態ではスライダ２４が後進端に位置決められる。ちなみに符号３５はストッパを表している。
【００２０】
上述したように、縫合器１０の先端部１０Ｂに形成された凹部３４内にはアレイ振動子３６が配置されており、そこから伸びるケーブルは本体２２を介して操作端部１０Ａから超音波診断装置本体側へ引き出されている。そのケーブルが符号３６Ａによって表されている。
【００２１】
本実施形態の縫合器１０を用いて欠損孔２０に対する縫合を行う場合、まず心臓１２の外壁に対して開口が形成された上でそこにチューブ１４が差し込まれ、更にそのチューブ１４内に縫合器１０の挿入部分が差し込まれる。そして、その先端部１０Ｂが欠損孔２０に挿入されることになる。凹部３４内に中隔１８の断端部が差し込まれた状態で、すなわち、対象組織片の奥側に針４０を位置決めした状態で、操作部２６の操作によってスライダ２４を前方へ送り込むと、スライダ２４の先端面の作用によって組織片が奥側に押し込まれると同時に、その組織片に対して針４０が貫通する。更に、その針４０の先端部がスライダ２４の先端に形成された保持部４４に掴まれることになる。その上で操作部２６を解放してスライダ２４を手前側に復帰させると、針４０がスライダ２４と共に手前側へ進行して組織片に対して針４０が貫通し、更に糸４２も貫通することになる。その上で、心臓１２から縫合器１０を引き抜くことにより、組織片に糸を貫通させた状態のまま、その糸の両端が体外に引き出された状態を築くことが可能となる。これにより、それらの糸の両端を使って縫合処置を行える。このような過程を繰り返すことにより、欠損孔２０を縫合して当該疾患の外科的な治療を行うことが可能となる。
【００２２】
スライダ２４の先端部２４Ｂは針４０のつかみ動作を行う場合にアレイ振動子３６の送受波面３６Ａの前方を移動することになる。従って、先端部２４Ｂの形態を幅広のものあるいは肥大したものとして構成すると、当該部分によって超音波の伝搬が妨げられる結果、上記のつかみ動作の過程において超音波画像が形成できなくなるという問題がある。すなわち、先端部２４Ｂによって送受波面３６Ａが隠蔽された量に応じて超音波画像の有効表示エリアが小さくなってしまうという問題が生じる。このため、スライダ２４の前進及び後進にあたって針４０が組織を貫通していく様子を十分に観察することが困難になる。そこで、本実施形態においては、以下に図２及び図３に示されているような隙間構造が採用されている。すなわち、隙間構造は、アレイ振動子３６の送受波面３６Ａがスライダ２４によって全面的に隠蔽されてしまう問題を解消するために空隙を積極的に設けた構造である。
【００２３】
図２には、スライダ２４が前進途中にある状態が示されており、図３には、スライダ２４が前進端までスライド運動した状態が示されている。なお、図２及び図３においては組織は図示省略されている。スライダ２４の先端部２４Ｂには、開口部５０が形成されている。開口部５０は具体的には保持部４４の手前側近傍に形成されており、開口部５０の周囲は枠部分４３となっている。その枠部分４３の一部が保持部４４を構成している。保持部４４は保持溝４４Ａを有し、その入口側にはテーパー面が形成されており、その出口側はやや膨らんだ突出部５２を構成している。
【００２４】
枠部分４３の横幅は、本実施形態において本体の横幅に一致しており、一方、開口部５０の横幅１０８はアレイ振動子３６の送受波面３６Ａにおける横幅よりも大きい。また、開口部５０の縦幅１０６は、図３に示されているように、スライダ２４が前進端に位置決められた状態において、送受波面３６Ａのほぼ全体を露出させる長さを有している。ただし、保持部４４により、送受波面３６Ａの一部分が隠蔽されている。いずれにしても、開口部５０の横幅１０８を送受波面３６Ａの横幅よりも大きくすることにより、かつ、開口部５０の縦幅１０６をスライド方向に伸長させてできる限り送受波面３６Ａの長手方向の全域が露出されるようにすることにより、スライダ２４によって送受波面３６Ａが隠蔽される面積を少なくして、超音波画像をできるだけ広範囲にわたって継続的に表示させることが可能となる。図３に示されるように、スライダ２４が前進端まで到達すると、保持部４４によって針４０が保持され、保持部３８から保持部４４へ針４０が渡される。その後スライダ２４を引き戻せば保持部４４の作用によって針４０を手前側に進行させることができ、その針４０の移動状態を超音波画像上で明瞭に観察することが可能となる。
【００２５】
ちなみに、図２及び図３に示されているように、針の通過経路は送受波面３６Ａにおける横幅方向の中央部に設定されている。これによって、針４０自体を超音波画像として明瞭に表示することが可能である。図２及び図３には１つの開口部５０が設けられたスライダ２４が図示されていたが、当該開口部５０を複数の小開口の集合体によって構成することも可能である。また、図２及び図３に示した実施形態において、開口部５０は空洞部すなわち貫通孔として形成されていたが、当該開口部５０内に生体と音響インピーダンスが等しいあるいはそれに近い材料を設けることも可能である。いずれにしても、縫合用の針４０を確実に保持して組織に貫通させつつ、超音波画像ができる限り隠蔽されないような隙間構造を採用するのが望ましい。
【００２６】
図４及び図５には他の実施形態が示されている。図４に示す実施形態においては、本体２２に対してスライダ６０の横幅がかなり細く設定されている。スライダ６０の先端部にはＶ字形をした保持部６６が形成されている。アレイ振動子６２における送受波面６２Ａの横幅１１０よりもスライダ６０の横幅１１２の方がかなり小さく、その結果、スライダ６０の先端部が送受波面６２の前方に位置した場合においても超音波の伝搬があまり妨げられることはない。すなわち、スライダ６０の左右に存在する空隙を通過する超音波によって超音波画像を形成することが可能となる。図５に示されるように、送受波面６２Ａの横幅１１０よりもスライダ６８の横幅１１２を細くしつつ、更に、当該スライダ６８の先端部に、スライド方向に伸長した開口部７０を形成するようにしてもよい。なお、符号１１４は開口部７０の横幅を示している。また、スライダ６８の先端部にはＶ字溝形の保持部６６が形成されている。このような構成によっても、超音波が通過する領域を積極的に広げた隙間構造が形成されているため、従来のように送受波面がスライダによって完全に隠蔽されてしまうことを防止して、針４０の運動にあたってそれを画像上で観察することが可能となる。すなわち、組織と針４０とを同時に観察することが可能であり、縫合の安全性及び操作性を高められるという利点がある。
【００２７】
上記実施形態においては、本体側に針が保持され、その針がスライダによってつかまれていたが、それとは逆にスライダ側に針を設けておいて、それを前進させて本体側へ針を受け渡すようにしてもよい。そのような場合においても、スライダに上記のような隙間構造を設けることにより、送受波面において送受波される超音波の伝搬経路をできる限り確保して超音波画像が形成されなくなってしまう問題を解消又は軽減することが可能となる。上記実施形態においては心臓に対する縫合を説明したが、他の臓器に対して縫合を行う場合にも上述した構成を採用するのが望ましい。上記実施形態においては１Ｄアレイ振動子が設けられていたが、それに代えて２Ｄアレイ振動子その他の超音波振動子を設けるようにしてもよい。図１に示した操作部は医師によって手動操作されるが、それがロボットに駆動されるものであってもよい。
【図面の簡単な説明】
【００２８】
【図１】本実施形態に係る縫合器の概念図である。
【図２】スライダが前進途中にある状態を示す上面図である。
【図３】スライダが前進端に位置している状態を示す上面図である。
【図４】他の実施形態に係る隙間構造を示す図である。
【図５】更に他の実施形態に係る隙間構造を示す図である。
【符号の説明】
【００２９】
１０  縫合器、１２  心臓、１４  チューブ、１８  中隔、２２  本体、２４  スライダ、２６  操作部、３４  凹部、３６  アレイ振動子、３８  保持部、４０  針、４４  保持部、５０  開口部。
【図１】
2008043534.tif 000003
【図２】
2008043534.tif 000004
【図３】
2008043534.tif 000005
【図４】
2008043534.tif 000006
【図５】
2008043534.tif 000007